(57)【要約】      （修正有）【課題】短い鉛筆でも削り易く、携帯に便利な鉛筆削器を提供する。【解決手段】鉛筆差込口２１からケース１０の内部に向かう鉛筆導入部２３と、縮径する円錐状の芯先保持部２４とを備え、芯先保持部に設けられたスリット２５に沿って切削刃２６を設けた鉛筆削器において、鉛筆差込口を覆うキャップ３０を消しゴム部材で構成すると共に、その内側に、鉛筆の後端部を保持する凹部３２を設けた。その凹部に鉛筆の後端部を差し込んだ状態で回転させることで、短い鉛筆を容易に削ることができる。【選択図】図８
2018192726.tif 000002
【特許請求の範囲】
【請求項１】
鉛筆差込口（２１、１１１）からケース（１０、１１０）の内部に向かう鉛筆導入部（２３、１１３）と、縮径する円錐状の芯先保持部（２４、１１４）と、を備え、該芯先保持部（２４、１１４）に設けられたスリット（２５、１１５）に沿って切削刃（２６、１１６）を設けて構成された鉛筆削器（１、１０１）であって、
前記鉛筆差込口（２１、１１１）を覆うキャップ（３０、１３０）を消しゴム部材で構成したしたことを特徴とする鉛筆削器。
【請求項２】
前記キャップ（３０，１３０）の内側に、鉛筆の後端部を保持する凹部を設けたことを特徴とする請求項１に記載の鉛筆削器。
【請求項３】
前記鉛筆差込口（２１）とは逆の方向からケース（１０）の内部に向けて取り付けられるハンドル（４０）を、前記鉛筆差込口（２１）に差し込まれる鉛筆と平行になるように設けて構成された鉛筆削器（１）であって、
前記鉛筆差込口（２１）が設けられる側面部に、前記凹部（３２）に挿入される凸部（２２）を設けたことを特徴とする請求項２に記載の鉛筆削器。
【請求項４】
前記キャップ（３０、１３０）の表面部に、所定の図柄を押印するためのスタンプ部（３３、１３３）を設けたことを特徴とする請求項１〜請求項３の何れか１つの請求項に記載の鉛筆削器。
【請求項５】
前記鉛筆導入部（２３、１１３）を筒状に構成し、その内周に鉛筆の周側面に圧接されるＯリング（２８、１１８）を取り付けたことを特徴とする請求項１〜請求項４の何れか1つの請求項に記載の鉛筆削器。
【請求項６】
前記鉛筆導入部（１１３）を筒部材（１１３ａ）によって構成し、該筒部材（１１３ａ）をベアリング（１１９）を介して前記ケース（１１０）に回転可能に取り付けたことを特徴とする請求項５に記載の鉛筆削器
【発明の詳細な説明】
【技術分野】
【０００１】
本発明は、鉛筆を差し込んで回転させて削る小型の鉛筆削器に関する。
【背景技術】
【０００２】
小型の鉛筆削器としては、ケースの一側面に設けられた鉛筆差込口からケースの内部に向けて縮径する円錐状の保持部にスリットを設け、そのスリットに沿って切削刃を設けた構造のものが一般的である（特許文献１を参照）。
このような鉛筆削器において、鉛筆差込口からケース内部に向けて鉛筆を差し込み、そのケースの他側面に取り付けられたハンドルを持ち、糸巻きの要領でケース自体を回転させて鉛筆を削る構造のものが提案されている（特許文献２を参照）。
【先行技術文献】
【特許文献】
【０００３】
【特許文献１】特開２０１５−８３３５５号公報
【特許文献２】意匠第１５４３２８４号公報
【発明の概要】
【発明が解決しようとする課題】
【０００４】
しかしながら、鉛筆削器には、鉛筆が長いうちは削り易いが、短くになるにつれて削り難くなるという問題があった。また、筆箱に入れようとすると嵩張り、他の物を入れるのを断念せざるを得ない場合があった。さらに、鉛筆削器を持ち歩く際に、鉛筆差込口から切削屑が零れ落ちるという問題もあった。
そこで、本発明は、短い鉛筆でも削り易く、携帯に便利な鉛筆削器の提供を目的とする。
【課題を解決するための手段】
【０００５】
上記課題を解決するために、本発明は、鉛筆差込口からケースの内部に向かう鉛筆導入部と、縮径する円錐状の芯先保持部と、を備え、該芯先保持部に設けられたスリットに沿って切削刃を設けて構成された鉛筆削器であって、前記鉛筆差込口を覆うキャップを消しゴム部材で構成したことを特徴とするものである。
この場合、前記キャップの内側に、鉛筆の後端部を保持する凹部を設けてもよい。
【０００６】
前記鉛筆差込口とは逆の方向からケースの内部に向けて取り付けられるハンドルを、前記鉛筆差込口に差し込まれる鉛筆と平行になるように設けて構成された鉛筆削器であって、前記鉛筆差込口が設けられる側面部に、前記凹部に挿入される凸部を設けたことを特徴とするものであってもよい。
また、前記キャップの表面部に、所定の図柄を押印するためのスタンプ部を設けたものであってもよい。
【０００７】
また、前記鉛筆導入部を筒状に構成し、その内周に鉛筆の周側面に圧接されるＯリングを取り付けてもよい。
この場合、前記鉛筆導入部を筒部材によって構成し、該筒部材をベアリングを介して前記ケースに回転可能に取り付けてもよい。
【発明の効果】
【０００８】
請求項１に係る鉛筆削器は、前記鉛筆差込口を覆うキャップを消しゴム部材で構成したので、筆箱などに入れて持ち歩く際に、別途消しゴムを用意する必要がなく、筆箱の嵩張りを防止することができる。また、鉛筆挿入口がキャップで覆われているので、スリットを介して切削屑が鉛筆挿入口からこぼれるのを防止できるので、携帯に適する。
請求項２に係る鉛筆削器は、キャップの内側に凹部を設け、その凹部に鉛筆の後端部を差し込めるようにしたので、短い鉛筆を削る際には、そのキャップをハンドルとして回転させることができる。これにより、短い鉛筆でも削り易く、鉛筆を最後まで使用することが可能となる。
【０００９】
請求項３に係る鉛筆削器は、鉛筆差込口とは逆の方向からケース内部に向けて取り付けられるハンドルを、前記鉛筆差込口に差し込まれる鉛筆と平行になるように設けたので、一方の手で鉛筆を握り、他方の手でハンドルを握って糸巻きの要領でケースを回転させることで、楽しく鉛筆を削ることができる。
短い鉛筆を削る際には、その後端部を、キャップ内側の凹部に差し込むことで、キャップをハンドルとして機能させることができる。これによって、短い鉛筆を迅速かつ容易に削ることができる。
【００１０】
請求項４に係る鉛筆削器は、キャップの表面部にスタンプ部を設けたので、鉛筆削器にスタンプとしての機能をも持たせることができる。別途スタンプを持ち歩く必要がないので、筆箱の嵩張りを防ぐことができる。
請求項５に係る鉛筆削器は、鉛筆差込口から芯先保持部に向かう鉛筆導入部を筒状に構成し、その内周に、鉛筆の周側面に圧接されるＯリングを固定したので、鉛筆が回転される際に傾きが生じるのを防止することができる。これによって、ケース内に差し込まれた鉛筆を切削刃に対して均一の傾きで圧接させながら回転させることが可能となり、切削不良の発生を低減できる。
【００１１】
請求項６に係る鉛筆削器は、鉛筆を導入するための筒部材を、ベアリングを介してケースに回転可能に固定させたので、鉛筆が導入される筒部材ごと、鉛筆芯を中心に回転させることができる。切削刃に対する角度を維持した状態で鉛筆を回転させることができるので、切削不良の発生をより効果的に防止できる。
【図面の簡単な説明】
【００１２】
【図１】本発明の第１実施形態に係る鉛筆削器を示す斜視図である。
【図２】上記鉛筆削器の正面図である。
【図３】上記鉛筆削器の右側面図である。
【図４】上記鉛筆削器の左側面図である。
【図５】上記鉛筆削器の平面図である。
【図６】上記鉛筆削器の底面図である。
【図７】上記鉛筆削器の使用状態を示す斜視図である。
【図８】上記鉛筆削器のケースの内部構造を示す断面図である。
【図９】キーホルダーの下げ飾りとしての使用状態を示す正面図である。
【図１０】スタンプ部の図柄の一例を示す左側面図である。
【図１１】短い鉛筆を削る際の使用状態を示す断面図である。
【図１２】上記鉛筆削器の第１変形例を示す断面図である。
【図１３】上記鉛筆削器の第２変形例を示す断面図である。
【図１４】上記第２変形例の使用状態を示す断面図である。
【図１５】短い鉛筆を削る際の上記第２変形例の使用状態を示す断面図である。
【図１６】本発明の第２実施形態に係る鉛筆削器を示す断面図である。
【図１７】上記鉛筆削器のキャップ部材を外した状態を示す斜視図である。
【図１８】上記鉛筆削器によって削られる鉛筆の形状を示す斜視図である。
【図１９】上記鉛筆削器の分解図である。
【図２０】上記鉛筆削器によって鉛筆が切削される状態を示す斜視図である。
【図２１】上記鉛筆削器の使用状態を示す断面図である。
【図２２】上記鉛筆削器の変形例を示す断面図である。
【発明を実施するための形態】
【００１３】
本発明の好適な実施形態を添付図面に基づいて説明する。本発明は、鉛筆を差し込んで回転させることで、ケース内に傾斜状に配設された切削刃によって削る構造の鉛筆削器に適用されるものであり、その実施形態の一例を下記に示す。
【実施例１】
【００１４】
図１は、本発明の第１実施形態に係る鉛筆削器１の斜視図である。図２、図３、図４、図５、図６は、それぞれ正面図、右側面図、左側面図、平面図、底面図である。
この鉛筆削器１は、ケース本体１０と、ケースの側面部材２０と、キャップ部材３０と、ハンドル部材４０と、からなるもので、図７に示すように、ケース側面に設けられた鉛筆差込口２１からケース内部に向けて鉛筆を差し込み、ハンドル４１を持って、糸巻きの要領でケースを回転させて鉛筆を削る構造のものである。
【００１５】
ケース本体１０の一側部は開口されており、そこにケースの側面部材２０が取り付けられる。ケース本体１０の他側部は、側面に沿った方向に延びており、その延長部１１にハンドル４０を取り付けるためのハンドル取付部１２が形成される（図８を参照）。  
ケースの側面に取り付けられる側面部材２０は、鉛筆差込口２１、キャップ保持部２２と、鉛筆導入部２３と、芯先保持部２４と、によって構成される。
【００１６】
鉛筆差込口２１は、鉛筆が挿入される筒部であり、その開口縁部においてキャップを保持することができるように、ケースの外側に向けて突出した形状となっている。この鉛筆差込口２１の近傍に、キャップを装着するためのキャップ保持部２２が突設されている。
キャップ保持部２２は、鉛筆差込口２１の開口縁部と共に、キャップ部３０を固定的に取り付けるために設けられた凸部であり、ケースの外側に向けて所定長突出させ、鉛筆の後端部と略同一形状に設計されている。
【００１７】
鉛筆差込口２１からケース内側に向けて、鉛筆導入部２３と、芯先保持部２４と、が形成される。即ち、ケース側面部の内側には、鉛筆差込口２１から連続される筒状の鉛筆導入部２３と、縮径する円錐状の芯先保持部２４と、が設けられる。
鉛筆導入部２３の内周には、滑らかな湾曲面からなるＯリング２８が配されている。このＯリング２８の湾曲面に摺接されながら鉛筆が回転することで、鉛筆切削時のガタつきが防止できるようになっている。
【００１８】
鉛筆導入部２３に連続して芯先保持部２４が設けられる。芯先保持部２４は、鉛筆の芯先を保持するための円錐状の部位である。傾斜面に沿ってスリット２５が設けられており、スリット２５に沿って切削刃２６が取り付けられている。
このように構成することで、鉛筆の周側面が傾斜面に押し付けられながら回転することで、鉛筆が傾斜状に削られる。
この側面部材２０の上端部には、キーホルダーとして使用する際の取付穴６０が設けられており、所望のストラップを取り付けることで、キーホルダーの下げ飾りとして利用できるようにしている（図９を参照）。
【００１９】
ケース外側に向けて突出する鉛筆差込口２１とキャップ保持部２２には、鉛筆差込口２１を覆うためのキャップ部材３０が着脱可能に取り付けられている。
キャップ部材３０は、鉛筆差込口２１とキャップ保持部２２に挿入された状態で、側面部材の係止部２９において係止される。キャップ部材３０は、消しゴム材によって構成されており、消しゴムとしての機能をも有するものである。
【００２０】
キャップ部材３０の内側には２つの窪み（３１、３２）が形成されている。第１の窪みは、鉛筆差込口２１を保持するための、差込口保持部３１である。この差込口保持部３１は、キャップ部材３０がしっかりと取り付けられるようにするために、鉛筆差込口２１の外径と略同一径に設計されている。
【００２１】
第２の窪み（３２）は、側面部材２０のキャップ保持部２２が挿入される凹部３２であり、差込口保持部３１よりも若干小さな径に設計されている。この凹部３２は、鉛筆の後端部を挿入することができるように、鉛筆径に対応させた形状に設計されている。即ち、消しゴム材の弾性力によって鉛筆の挿入を可能し、その収縮力によって鉛筆をしっかり保持することができるように設計されている。
キャップ部材３０の表面は、所定の形状を押印するためのスタンプ部３３となっている（図１０を参照）。
【００２２】
ケース本体部１０の他側部はハンドル部４０が取り付けられる。
ハンドル部４０は、ケース本体１０の延長部１１に設けられたハンドル取付部１２に回動可能に取り付けられている（図８を参照）。即ち、ケース本体部１０の他側部は、側面に沿った方向に延びており、その延長部１１にハンドル取付部１２が形成されることとなる。
【００２３】
ハンドル取付部１２は、鉛筆の差込方向とは逆の方向からハンドル４０を取り付けるための筒部であり、内部はハンドル取付穴として機能する。この筒部は、ケース１０と反対側（外側）に向かって直角方向に延びており、差し込まれる鉛筆から所定距離（Ｍ）離れた位置において平行となる。
このハンドル取付部１２の内部に、ハンドル部材４０の取付部４１が、遊びを持たせた状態で挿入される。
【００２４】
ハンドル部材４０は、取付部４１を内部に備えたキャップ状の把手であり、取付部４１の先端には抜け止め部４２が形成されている。
把手の長さ（Ｔ）は、手で握れる程度の長さが好ましく、２ｃｍ〜１０ｃｍ（本実施例では２．２ｃｍ）が適当である。ケース（本体部と側面部）の長さは（Ｈ）２ｃｍ〜１０ｃｍ（本実施例では３ｃｍ）が適当で、キャップ３０の長さ（Ｋ）は２ｃｍ〜１０ｃｍ（本実施例では２．２ｃｍ）が適当である。
【００２５】
以下、本発明に係る鉛筆削器１の使用状態を説明する。
鉛筆を削る際には、キャップ部材３０を取り外して使用する。この場合、鉛筆差込口２１に鉛筆を差し込み、糸巻の要領でハンドル部材４０を回転させる。切削刃２７によって鉛筆が傾斜状に削られていき、その先端部がケース本体１０に設けられたストッパ１７に当接することで、切削が終了する。
短い鉛筆を削る際には、図１１に示すように、キャップ部材４０の第２の凹部３２に鉛筆の後端部を差し込む。
【００２６】
キャップ部材４０は消しゴム部材によって構成されると共に、その内側の第２の凹部３２が鉛筆径に合わせて設計されているので、その弾性力によって鉛筆をしっかり保持することができる。このキャップ部材４０をハンドルとして機能させることで、左右それぞれの手でハンドルを持ち、糸巻の要領で鉛筆を回転させることが可能となる。
【００２７】
差し込まれた鉛筆は、鉛筆導入部２３に配設されたＯリング２８の湾曲面上を摺接しながら回転する。Ｏリング２８の弾性変形によって、鉛筆の太さのばらつきを吸収することができる上に、鉛筆の周側面がＯリング２８の湾曲面に案内されながら回転するので、切削刃に対する均一な傾きを保った状態で切削することできる。
これによって、鉛筆を美しく切削できる上に、短い鉛筆でも削り易く、無駄なく最後まで鉛筆を使用することが可能となる。
【００２８】
この鉛筆削器１を消しゴムとして機能させる場合は、キャップ部材３０を取り付けた状態で使用する。この際、キャップ部材３０の内側の２つの窪み（３１、３２）のそれぞれに、側面部材２０の凸部（即ち、鉛筆差込口２１とキャップ取付部２２）が保持された状態なので、消そうとする部位に擦り付けた際に、キャップ部材３０が外れることはない。
【００２９】
鉛筆削器１に消しゴムとしての機能を持たせたので、別個に消しゴムを用意する必要がなく、筆箱が嵩張ることもない。
スタンプとして使用する場合は、キャップ部材３０に設けられたスタンプ部３３にインクをつけて押印する。
なお、本実施例では鉛筆導入部２３にＯリング２８を設けたが、Ｏリング２８は必ずしも必要ではない（図１２を参照）。
【００３０】
また、本発明の鉛筆削器は、図１３に示すように、ケース本体１０’に、鉛筆差込口２１’と鉛筆導入部２３’と芯先保持部２４’を設け、ケース他側部に設けられた蓋部材５０にハンドル部材４０を取り付けた構造のものであってもよい。
ケース本体１０’の一側部に設けられた鉛筆差込口２１’から、筒状の鉛筆導入部２３’と、円錐状の芯先保持部２４’とが設けられる。芯先保持部２４’の傾斜面に沿ってスリット２５’が設けられており、そのスリット２５’に沿って切削刃２６’が取り付けられている。
【００３１】
ケース本体１０’の他側部は開口され、その開口部に蓋部材５０が取り付けられている。
蓋部材５０の内側には、芯先の削りすぎを防止するためのストッパ１７が設けられている、蓋部材５０の外側面を延長し、その延長部５１にハンドル取付部５２が直角方向に形成される。このハンドル取付部５２に、ハンドル部材４０が回動可能に取り付けられる。
【００３２】
ケース本体１０’の一側部（鉛筆差込口２１’が設けられた側の側面部）には、キャップ部材３０’が取り付けられている。
キャップ部材３０’は消しゴム部材によって構成されており、内側には鉛筆の後端部を挿入することができる凹部３２’が設けられている。外側面はスタンプ部３３’として機能される。様々なスタンプ柄のキャップ部材３０’を取り揃えておき、所望のキャップ部材３０’を選択できるようにしてもよい。
【００３３】
鉛筆を削る際には、図１４に示すように、キャップ部材３０’を取り外し、鉛筆挿入口２１’に鉛筆をさしこんで、糸巻きの要領で回転させる。
短い鉛筆を削る際には、図１５に示すように、キャップ部材３０’の凹部３２’に鉛筆の後端部を差し込んだ状態で使用する。これによって、短い鉛筆でも容易に回転させることができる。
本発明の鉛筆削器は、必ずしもケースにハンドルを設けた「糸巻き式」の鉛筆削器である必要はなく、通常の鉛筆を手で回して削る「手回し式」の鉛筆削器であってもよい。
【実施例２】
【００３４】
次に、本発明の第２実施形態に係る鉛筆削器１０１を、図１６を参照して説明する。この鉛筆削器は、２つの切削部を有するものであり、図１７に示すように、２つの鉛筆差込口１１１、１２１を備えたものである。
この鉛筆削器１０１は、図１８に示す形状に鉛筆２を切削するためのものである。この形状は、既切削鉛筆として提供されることの多い色鉛筆や化粧用鉛筆の切削形状として適するもので、鉛筆芯３の径に対応する内径を有し、鉛筆径よりも小さい外径を有する平坦面からなるリング部４と、該リング部４から傾斜状のテ―パ部５を経て本体部６の周側面に連続する形状である。
【００３５】
このような形状に鉛筆を切削するために本実施形態に係る鉛筆削器１０１は、ケース１１０の一側面に２つの鉛筆差込口１１１、１２１を備え、他側部に屑収集部１１２を備えた構造とする。
一方の鉛筆差込口１１１は、本体部６を傾斜状に切削するための第１の鉛筆差込口１１１であり、それに隣接する第２の鉛筆差込口１２１は、傾斜状に切削されたテ―パ部５を、鉛筆芯３に対して直交する方向に切断するための差込口である（図１９を参照）。  
【００３６】
第１の鉛筆差込口１１１の延長上に配置される第１の切削部は、鉛筆の本体部６を傾斜状に切削するための部位であり、第１の鉛筆差込口１１１から、内部に向かう鉛筆導入部１１３と、縮径する円錐状の芯先保持部１１４と、を備えて構成される。
芯先保持部１１４にはスリット１１５が設けられており、そのスリット１１５に沿って切削刃１１６が傾斜状に配設される。この芯先保持部１１４の先端に、保持された鉛筆の芯が現れる前に切削を停止させるためのストッパ１１７が配設される。
【００３７】
このように構成することで、第１の鉛筆差込口１１に挿入された鉛筆が回転されることで本体部６が傾斜状に切削されていき、鉛筆芯３が現れる直前に切削を停止させることができる。
即ち、木製の本体部６と同時に鉛筆芯３が削られないようにすることができるので、鉛筆芯３との本体部６との間の接着材が剥がれるのを防止でき、鉛筆芯３の中折れを効果的に防止することが可能となる。
【００３８】
この第１の鉛筆差込口１１１に隣接して配置された第２の鉛筆差込口１２１からも、内部に向かい鉛筆導入部１２３が設けられ、その先端に芯先保持部１２４が形成される。
この芯先保持部１２４は、縮径する円錐台の形状をなし、その先端部に、差し込まれた鉛筆に対して略直交方向に刃先が延びる第２の切断刃１２６が配設されている。
第２の切削刃１２６は、鉛筆２のテ―パ部５を、その中間部から鉛筆芯３に向けて切削することにより、鉛筆芯３を露呈させるものであり、差し込まれた鉛筆２に対して略直交方向に刃先を向けた状態で、鉛筆芯３の周りを相対的に回転する。第２の切削刃１２６の刃先は、鉛筆芯３を傷つけることなく露呈させることができるような位置まで延びている。
【００３９】
このように第２の切削部を構成すれば、第１の切削部による切削によって形成されたテーパ部５の先端を切り落とし、リング部４から鉛筆芯３が露呈された状態とすることができる（図２０を参照）。
このような鉛筆削器１０１において、第１及び弟２の鉛筆差込口１１１、１２１から内部に向かう鉛筆導入部１１３、１２３を筒部材１１３ａ、１２３ａによって構成し、その筒部材１１３ａ、１２３ａの内周に、鉛筆の周側面に摺接されるＯリング１１８、１２８を固定した。
【００４０】
そして、鉛筆導入部１１３、１２３としての筒部材１１３ａ、１２３ａを、ベアリング１１９、１２９を介してケース１１０に回転可能に固定した。これによって、鉛筆差込口１１１、１２１に挿入された鉛筆と共に筒部材１１３ａ、１２３ａが回転された際に、鉛筆芯３を中心に安定した回転となり、更に、この鉛筆導入部１１３、１２３において、鉛筆２の周側面がＯリング１１８、１２８によって固定されるので、鉛筆が回転される際に傾きが生じるのを防止することができる。そのため、鉛筆を切削刃１１６、１２６に対して均一の傾きで圧接させることが可能となる。
【００４１】
筒部材１１３ａ、１２３ａに圧接される内側ホルダ１１９ａ、１２９ａと、ケース１１０に固定される外側ホルダ１１９ｂ、１２９ｂとの間にベアリング１１９が介装されるので、滑らかな回転が確保される。
ベアリング１１９の外側ホルダ１１９ｂ、１２９ｂは、鉛筆導入部１１３、１２３に固定された外筒部材１１３ｂ、１２３ｂに圧接されており、芯先保持部１１４、１２４を介してケース１１０に固定された切削刃１１６、１２６に対し、均一の傾きで圧接させることが可能となる。これによって、鉛筆芯３の中心性を維持した状態で筒部材１１３ａ、１２３ａを回転させることが可能となる。
【００４２】
本実施例の鉛筆削器１０１においても、ケース本体１１０の一側部（鉛筆差込口１１１，１２１が設けられた側の側面部）に、消しゴム部材からなるキャップ部材１３０が取り付けられる。キャップ部材１３０の内側には鉛筆の後端部を挿入することができる凹部１３２が設けられている。
上記鉛筆削器１０１の使用状態を説明する。
まず、図２１に示すように、鉛筆の後端部をキャップ部材１３０の凹部１３２に挿入する。
【００４３】
そして、鉛筆の後端部をキャップ部材１３０の凹部１３２に差し込み、その状態で第１の鉛筆差込口１１に鉛筆を差し込んで回転させる。ストッパ１７に当接するまで回転させることで、鉛筆の周側面が傾斜状に削り取られ、先端にテ―パ部５が形成される（図２０（ａ）を参照）。
その後、第１の鉛筆差込口１１１から鉛筆を取り出し、第２の鉛筆差込口１２１に挿入する。鉛筆は第２の保持部１２４ｂに保持させた状態で回転され、テ―パ部５の先端が割り取られて芯先が露呈される（図２０（ｂ）を参照）。
【００４４】
鉛筆芯３が現れる前に、鉛筆の周りを傾斜状に横削りする工程が停止されるので、鉛筆芯３と共に、木製の本体部が切削されることがなく、本体部２と鉛筆芯３との間に抗力が発生することがない。これによって、本体部２と鉛筆芯３との間の接着材が剥がれるのを防止することができ、本体部６の内部における芯折れ（中折れ）を防止することができる。
【００４５】
本実施形態に係る鉛筆削器１０１は、鉛筆差込口１１１、１２１から芯先保持部１１４、１２４までの間に長い保持空間（即ち、鉛筆導入部１１３、１２３）を設け、その保持空間に配設された筒部材１１３ａ、１２３ａを鉛筆と共に回転させるように構成したが、図２２に示す鉛筆削器１０１’のように、筒部材１１３ａ’、１２３ｂ’をケース１１０に固定し、筒部材１１３ａ’、１２３ａ’の中で鉛筆を回転させるようにしてもよい。
【００４６】
筒部材１１３ａ’、１２３ａ’は、外筒部材１１３ｂ’、１２３ｂ’を介してケース１１０に固定されている。筒部材１１３ａ’、１２３ａ’の内周面には、湾曲状の周側面からなるＯリング１１８’が取り付けられている。このＯリング１１８’は、弾性変形によって差し込まれた鉛筆２を保持しつつ、滑らかな湾曲面に摺接されながら鉛筆２を回転させる。
【００４７】
鉛筆２は、Ｏリング１１８’の湾曲面上を自身の周側面を摺接させながら回転するので、鉛筆芯３を中心として安定に回転させることができる。鉛筆２の太さにバラつきがある場合であっても、Ｏリング１１８’の湾曲面によって回転可能な状態に保持されるので、切削刃１１６、１２６に対する傾きの均一性を維持することができる。
なお、本実施形態においても、キャップ部材１３０の表面にスタンプ部を設けてもよい。
【産業上の利用可能性】
【００４８】
本発明は、筆記用具としての鉛筆に限らず、長尺部材の中心に芯材を備えた構造のものを削るものであれば、あらゆる産業分野において使用される鉛筆状部材の削り器に適用することができる。
【符号の説明】
【００４９】
１、１０１…鉛筆削器
２…鉛筆
３…鉛筆芯
４…リング部
５…テ―パ部
６…本体部
１０、１１０…ケース本体
１１…延長部
１２…ハンドル取付部
１７…ストッパ
２０…側面部材
２１、１１１…鉛筆差込口
２２…キャップ保持部
２３、１１３…鉛筆導入部
２４、１１４…芯先保持部
２５、１１５…スリット
２６、１１６…切削刃
２８、１１８…Ｏリング
２９…係止部
３０、１３０…キャップ部材
３１…差込口保持部
３２、１３２…凹部
３３、１３３…スタンプ部
４０…ハンドル部材
４１…取付部
４２…抜け止め部
５０…蓋部材
６０…キーホルダーの取付穴
【図１】
2018192726.tif 000003
【図２】
2018192726.tif 000004
【図３】
2018192726.tif 000005
【図４】
2018192726.tif 000006
【図５】
2018192726.tif 000007
【図６】
2018192726.tif 000008
【図７】
2018192726.tif 000009
【図８】
2018192726.tif 000010
【図９】
2018192726.tif 000011
【図１０】
2018192726.tif 000012
【図１１】
2018192726.tif 000013
【図１２】
2018192726.tif 000014
【図１３】
2018192726.tif 000015
【図１４】
2018192726.tif 000016
【図１５】
2018192726.tif 000017
【図１６】
2018192726.tif 000018
【図１７】
2018192726.tif 000019
【図１８】
2018192726.tif 000020
【図１９】
2018192726.tif 000021
【図２０】
2018192726.tif 000022
【図２１】
2018192726.tif 000023
【図２２】
2018192726.tif 000024